(57)【要約】【課題】密閉型圧縮機のアキュムレータ取付け方向の搭載スペースを減らし、搭載される製品の小型、軽量化を図ることができる密閉型圧縮機を提供する。【解決手段】本密閉型圧縮機は、電動機部、圧縮機構部を収容する密閉容器にアキュムレータが取付けられ、このアキュムレータの底部と圧縮機構部を吸込管で接続し、密閉容器の中心ｃとアキュムレータの外周面との最大距離Ｌ１が、中心ｃと吸込管の外周面との最大距離Ｌ２以下となるように吸込管の途中を密閉容器から遠ざかるような形状に形成する。【選択図】  図１
2010077875.tif 000002
【特許請求の範囲】
【請求項１】
密閉容器内に電動機部と、この電動機部により駆動される圧縮機構部とを収容するとともに、前記密閉容器の外側面にアキュムレータを固定して設け、このアキュムレータの底部に接続された吸込管を介して冷媒を前記圧縮機構部に吸込む密閉型圧縮機において、
前記密閉容器の中心と前記アキュムレータの外周面との最大距離が、前記中心と前記吸込管の外周面との最大距離以下となるように前記吸込管の途中を前記密閉容器から遠ざかるような形状に形成したことを特徴とする密閉型圧縮機。
【請求項２】
前記密閉容器の下部に固定脚を備え、前記中心と前記アキュムレータ外周面との最大距離が、前記中心を中心とし前記固定脚の先端部を通る仮想円の範囲内になるようにしたことを特徴とする請求項１に記載の密閉型圧縮機。
【請求項３】
請求項１または２に記載の密閉型圧縮機と、凝縮器と、膨張装置と、蒸発器とを備えたことを特徴とする冷凍サイクル装置。
【発明の詳細な説明】
【技術分野】
【０００１】
本発明は密閉型圧縮機、冷凍サイクル装置に係り、特に、圧縮機本体とアキュムレータを接続する吸込管の形状を改良した密閉型圧縮機、冷凍サイクル装置に関する。
【背景技術】
【０００２】
従来、密閉型圧縮機は、その密閉容器の一側にバンドなどによりアキュムレータが取付けられ、このアキュムレータの底部と圧縮機構部とは吸込管により接続され、この吸込管はアキュムレータの底部に接続され、下方に鉛直に伸びる鉛直部と、この鉛直部から直角に折り曲げられ、圧縮機構部に接続される水平部とからなる単純なＬ字状に屈曲されている。また、製造性を良くするため、吸込管はアキュムレータの底部中心部に接続されている。
【０００３】
このため、特許文献１に記載の密閉型圧縮機は、アキュムレータの反密閉容器側の外周面が、吸込管の反密閉容器側の外周面よりも外側にあるため、密閉容器の他側とアキュムレータの上記外周面までの距離が長くなって、アキュムレータを備えた密閉型圧縮機が大型になる。
【０００４】
さらに、吸込管の折曲部の曲げ半径は、吸込管の潰れ等を防止するため、所定の曲げ半径が必要であり、そのため、容積が小さく直径の小さなアキュムレータを設ける場合も、吸込管の所定の曲げ半径のため、アキュムレータを密閉容器にあまり近づけることができず、密閉型圧縮機全体をあまり小型化することができなかった。
【０００５】
従って、従来の密閉型圧縮機は、空気調和装置などの製品への搭載時、その搭載スペースを大きくとる必要があり、搭載される製品の小型、軽量化を図ることができないという問題があった。
【特許文献１】特開２００１−２８０７６１号公報
【発明の開示】
【発明が解決しようとする課題】
【０００６】
本発明は上述した事情を考慮してなされたもので、密閉型圧縮機のアキュムレータ取付け方向の搭載スペースを減らし、搭載される製品の小型、軽量化を図ることができる密閉型圧縮機を提供することを目的とする。
【０００７】
また、小型、軽量な冷凍サイクル装置を提供することを目的とする。
【課題を解決するための手段】
【０００８】
上述した目的を達成するため、本発明に係る密閉型圧縮機は、密閉容器内に電動機部と、この電動機部により駆動される圧縮機構部とを収容するとともに、前記密閉容器の外側面にアキュムレータを固定して設け、このアキュムレータの底部に接続された吸込管を介して冷媒を前記圧縮機構部に吸込む密閉型圧縮機において、前記密閉容器の中心と前記アキュムレータの外周面との最大距離が、前記中心と前記吸込管の外周面との最大距離以下となるように前記吸込管の途中を前記密閉容器から遠ざかるような形状に形成したことを特徴とする。
【発明の効果】
【０００９】
本発明に係る密閉型圧縮機によれば、密閉型圧縮機のアキュムレータ取付け方向の搭載スペースを減らし、搭載される製品の小型、軽量化を図ることができる密閉型圧縮機を提供することができる。
【００１０】
また、本発明に係る冷凍サイクル装置によれば、小型、軽量な冷凍サイクル装置を提供することができる。
【発明を実施するための最良の形態】
【００１１】
本発明の一実施形態に係る密閉型圧縮機及びこれを用いた冷凍サイクル装置について、図面を参照して説明する。
【００１２】
図１は本発明の一実施形態に係る密閉型圧縮機及びこれを用いた冷凍サイクル装置の概念図である。
【００１３】
図１に示すように、本発明に係る冷凍サイクル装置２１は、本実施形態の密閉型圧縮機１と、凝縮器２２と、膨張装置２３と、蒸発器２４をサイクル状に連通して形成される。
【００１４】
また、本実施形態の密閉型圧縮機１は、圧縮機本体２とアキュムレータ３からなり、圧縮機本体２は密閉容器４を備え、この密閉容器４内にはいずれも図示しない電動機部と、この電動機部に回転軸を介して連結された圧縮機構部が収納される。
【００１５】
アキュムレータ３は、従来に比べて長さが短く、直径の小さな比較的小型な円筒状をなし、密閉容器４と平行になるように立設され、取付部材５ａ、バンド５ｂからなる固定具５により密閉容器４の外側面に固定される。
【００１６】
さらに、アキュムレータ３の底部３ａと、１シリンダ式の圧縮機構部とは、吸込管６により接続され、この吸込管６を介して、アキュムレータ３に戻った冷媒およびアキュムレータ３内の底部３ａに溜まるオイルを圧縮機本体２に戻して、圧縮機構部に送り込み、冷媒は高温高圧に圧縮され、オイルは圧縮機本体２を潤滑する。
【００１７】
吸込管６は例えば、略へ字状をなし、水平方向に配される直線部６ａと垂直方向に配される屈曲部６ｂからなり、直線部６ａは一端が圧縮機構部に、他端が屈曲部６ｂに接続され、屈曲部６ｂは他端がアキュムレータ３に接続される。
【００１８】
吸込管６を略へ字状にすることにより、密閉容器４の中心ｃとアキュムレータ３の外周面３ｂとの最大距離Ｌ１が、中心ｃと吸込管６の外周面６ｃとの最大距離Ｌ２以下となるように吸込管６の途中が密閉容器４から遠ざかるようになる。
【００１９】
図２示すように、密閉容器４は、下部に等間隔で取付けられた３個の固定脚４ａ、４ａ、４ａを備え、最大距離Ｌ１が、中心ｃを中心とし固定脚４ａ、４ａ、４ａの先端部４ａ１、４ａ１、４ａ１を通る仮想円Ｃの範囲内になるようにするのが好ましい。
【００２０】
なお、図中符号１１は吐出管、符号１２は端子カバーである。
【００２１】
本実施形態の密閉型圧縮機は、上記構造をなし、略へ字状の吸込管６を用いて、アキュムレータ３と圧縮機構部とを接続することで、密閉容器４の中心ｃとアキュムレータ３の外周面３ｂとの最大距離Ｌ１が、中心ｃと吸込管６の外周面６ｃとの最大距離Ｌ２以下となり、密閉型圧縮機１のアキュムレータ３の取付け方向の搭載スペースを減らすことができる。これにより、本密閉型圧縮機が搭載される製品の小型、軽量化を図ることができる。
【００２２】
また、密閉容器４の中心ｃとアキュムレータ３の外周面３ｂとの最大距離Ｌ１が、中心ｃを中心とし固定脚４ａ、４ａ、４ａの先端部４ａ１、４ａ１、４ａ１を通る仮想円Ｃの範囲内になるようにするので、圧縮機の径方向の寸法を減じ、圧縮機を搭載するスペースを減らし、製品に搭載した際、アキュムレータの外径及び吸込管に影響されることなく、本密閉圧縮機が搭載される製品の配管及び防音材の設計ができ、製品の小型、軽量化を図ることができる。
【００２３】
本実施形態の密閉型圧縮機によれば、密閉型圧縮機のアキュムレータ取付け方向の搭載スペースを減らし、搭載される製品の小型、軽量化を図ることができる密閉型圧縮機が実現される。
【００２４】
また、本実施形態の冷凍サイクル装置によれば、小型、軽量な冷凍サイクル装置が実現される。
【図面の簡単な説明】
【００２５】
【図１】本発明の一実施形態に係る密閉型圧縮機及びこれを用いた冷凍サイクル装置の概念図。
【図２】本発明の一実施形態に係る密閉型圧縮機の平面図。
【符号の説明】
【００２６】
１…密閉型圧縮機、２…圧縮機本体、３…アキュムレータ、３ａ…底部、３ｂ…外周面、４…密閉容器、４ａ…固定脚、４ａ１…先端部、５…固定具、５ａ…取付部材、５ｂ…バンド、６…吸込管、６ａ…直線部、６ｂ…屈曲部、６ｃ…外周面、１１…吐出管、１２…端子カバー、２１…冷凍サイクル装置、２２…凝縮器、２３…膨張装置、２４…蒸発器、Ｌ１…最大距離、Ｌ２…最大距離、ｃ…中心、Ｃ…仮想円。
【図１】
2010077875.tif 000003
【図２】
2010077875.tif 000004